(57)【要約】      （修正有）【課題】来訪者による呼び出しを居住者に通知して的確に確認させるにあたって、簡易な構成で、難聴、中途失聴等のような聴覚障害者にとっての確認を容易として利便性を高める。【解決手段】来訪者による子機１からの呼び出しを、親機２、呼出通知機３及び増設呼出通知機４にてそれぞれ通知するにあたり、呼出通知機では、親機の親機通知音生成部２０４にて生成され親機スピーカ２０３から音響出力させる通知音信号を信号検出部３０１にて検出することで、発光部３０３にて発光表示が行われるとともに、この通知音信号が通知機スピーカ３００から音響出力される。また、増設呼出通知機は、呼出通知機との間で無線通信を行い、呼出通知機の信号検出部からの呼出通知信号を増設通知音生成部４０１及び増設発光駆動部４０４がそれぞれ検出することで、増設スピーカ４０２から通知音信号が音響出力されるとともに、増設発光部４０３にて発光表示が行われる。【選択図】図１
2010081137.tif 000002
【特許請求の範囲】
【請求項１】
住戸外に設置される子機（１）と、住戸内に設置され、前記子機からの呼び出しに応答して通話を成立させるための親機（２）と、前記子機からの呼び出しが前記親機を経由して通知される呼出通知機（３）と、前記呼出通知機との間で無線通信を行い、前記子機からの前記呼び出しが通知される増設呼出通知機（４）とを設け、
前記親機には、前記子機からの呼び出しがある旨の通知音信号を生成するための親機通知音生成部（２０４）を備え、
前記呼出通知機には、前記子機からの呼び出しがある旨の発光表示を行うための発光部（３０２）と、前記発光部を駆動させるための発光駆動部（３０３）と、前記親機の前記親機通知音生成部にて生成された前記通知音信号を検出し、前記発光駆動部を制御するための信号検出部（３０１）と、前記通知音信号を検出した前記信号検出部にて生成される呼出通知信号を無線信号に変換し、前記増設呼出通知機に無線送信するための無線送信部（３０４）とを備え、
前記増設呼出通知機には、前記呼出通知機から前記無線送信されてくる無線信号を受信し、電気信号の前記呼出通知信号に変換するための無線受信部（４００）と、前記子機からの呼び出しがある旨の発光表示を行うための増設発光部（４０３）と、前記無線受信部からの前記呼出通知信号を検出し、前記増設発光部を駆動させるための増設発光駆動部（４０４）とを備えることを特徴とするインターホンシステム。
【請求項２】
前記親機及び前記呼出通知機はそれぞれ、前記親機の前記親機通知音生成部にて生成された前記通知音信号を音響出力するためのスピーカ（２０３、３００）を備えることを特徴とする請求項１記載のインターホンシステム。
【請求項３】
前記増設呼出通知機は、前記無線受信部からの前記呼出通知信号を検出し、通知音信号を生成するための増設通知音生成部（４０１）と、前記増設通知音生成部にて生成された前記通知音信号を音響出力するための増設スピーカ（４０２）とを備えることを特徴とする請求項１記載のインターホンシステム。
【発明の詳細な説明】
【技術分野】
【０００１】
本発明はインターホンシステムに係り、特に、来訪者による呼び出しを居住者に的確に通知して確認させることができるインターホンシステムに関する。
【背景技術】
【０００２】
従来から、高騒音下での住居人や聴覚障害者にとっても、適切且つ迅速に警報あるいは報知の選別が出来る表示機能付インターホン増設スピーカが開示されている（例えば、特許文献１を参照。）。
【０００３】
この表示機能付インターホン増設スピーカによれば、親機やインターホン副親機から出力される移報信号を受け、その信号に応じて点滅あるいは点灯する光源を備えているので、移報信号の聞き取れない高騒音下での住居人や聴覚障害者にも、来客報知や警報報知が適切に選別できる。
【０００４】
【特許文献１】特開２０００−６７３４４号公報
【発明の開示】
【発明が解決しようとする課題】
【０００５】
背景技術に記載した特許文献１の表示機能付インターホン増設スピーカにおいて、来客報知を行うための手段は、スピーカからの音響出力と、この音響出力の時間内における光源の発光（点滅あるいは点灯）とが適用されているため、来客報知を確認すべき居住者が難聴、中途失聴等のような聴覚障害者であって、この聴覚障害者が余所見をしている場合や、当該表示機能付インターホン増設スピーカの設置される住戸内が明るい場合には、光源の発光に気付かない虞があった。
【０００６】
また、親機やインターホン副親機と表示機能付インターホン増設スピーカとの間の接続の態様が有線による接続であるため、この表示機能付インターホン増設スピーカをより複数台増設するにあたっては、配線が複雑となるばかりでなく、施工コストが増大する難点があった。
【０００７】
本発明は、これらの難点を解消するためになされたもので、来訪者による呼び出しを居住者に通知して的確に確認させるにあたって、難聴、中途失聴等のような聴覚障害者にとって確認な容易で利便性が高められたインターホンシステムを簡易な構成で提供することを目的としている。
【課題を解決するための手段】
【０００８】
前述の目的を達成するため、本発明の第１の態様であるインターホンシステムは、住戸外に設置される子機と、住戸内に設置され、子機からの呼び出しに応答して通話を成立させるための親機と、子機からの呼び出しが親機を経由して通知される呼出通知機と、呼出通知機との間で無線通信を行い、子機からの呼び出しが通知される増設呼出通知機とを設けている。親機には、子機からの呼び出しがある旨の通知音信号を生成するための親機通知音生成部を備えている。呼出通知機には、子機からの呼び出しがある旨の発光表示を行うための発光部と、発光部を駆動させるための発光駆動部と、親機の親機通知音生成部にて生成された通知音信号を検出し、発光駆動部を制御するための信号検出部と、通知音信号を検出した信号検出部にて生成される呼出通知信号を無線信号に変換し、増設呼出通知機に無線送信するための無線送信部とを備えている。増設呼出通知機には、呼出通知機から無線送信されてくる無線信号を受信し、電気信号の呼出通知信号に変換するための無線受信部と、子機からの呼び出しがある旨の発光表示を行うための増設発光部と、無線受信部からの呼出通知信号を検出し、増設発光部を駆動させるための増設発光駆動部とを備えている。
【０００９】
また、本発明の第２の態様であるインターホンシステムは、本発明の第１の態様において、親機及び呼出通知機はそれぞれ、親機の親機通知音生成部にて生成された通知音信号を音響出力するためのスピーカを備えている。
【００１０】
また、本発明の第３の態様であるインターホンシステムは、本発明の第１の態様において、増設呼出通知機は、無線受信部からの呼出通知信号を検出し、通知音信号を生成するための増設通知音生成部と、増設通知音生成部にて生成された通知音信号を音響出力するための増設スピーカとを備えている。
【発明の効果】
【００１１】
本発明のインターホンシステムによれば、来訪者による子機からの呼び出しを、親機、呼出通知機及び増設呼出通知機にてそれぞれ通知するにあたり、呼出通知機では、親機の親機通知音生成部にて生成され親機スピーカから音響出力させる通知音信号を信号検出部にて検出することで、発光駆動部が制御されて発光部にて発光表示が行われるとともに、この通知音信号が通知機スピーカから音響出力されることになる。また、増設呼出通知機は、呼出通知機との間で無線通信を行うことができ、呼出通知機の信号検出部からの呼出通知信号を増設通知音生成部及び増設発光駆動部がそれぞれ検出することで、増設スピーカから通知音信号が音響出力されるとともに、増設発光駆動部が制御されて増設発光部にて発光表示が行われることになる。
【００１２】
これにより、呼出通知機及び増設呼出通知機の間が無線による接続となり、有線による配線が不要となるため、増設呼出通知機の設置位置の自由度が高められるばかりでなく、施工コストを低く抑えることができる。また、来訪者による子機からの呼び出しを確認すべき居住者が難聴、中途失聴等のような聴覚障害者であって、この聴覚障害者が余所見をしている場合や、当該呼出通知機及び当該増設呼出通知機の設置場所の周囲近傍が明るい場合であっても、的確に確認させることができる。
【発明を実施するための最良の形態】
【００１３】
以下、本発明のインターホンシステムを適用した最良の実施の形態例について、図面を参照して説明する。
【００１４】
図１は、本発明の実施例によるインターホンシステムのシステム構成及びブロック構成を示す説明図である。このインターホンシステムには、住戸玄関等の住戸外に設置される子機１と、住戸内に設置され、子機ラインＬ1を経由して接続される子機１からの呼び出しが通知され、この呼び出しに応答して通話を成立させるための親機２と、通知機ラインＬ2、親機２、子機ラインＬ1を経由して接続される子機１からの呼び出しが通知される呼出通知機３と、呼出通知機３との間で無線通信を行い、子機１からの呼び出しが通知される少なくとも１台の増設呼出通知機、ここでは、１台の増設呼出通知機４とが設けられている。ここで、呼出通知機３及び増設呼出通知機４の間は、図示に示すような無線による接続で構成されているため、有線による配線が不要となり、増設呼出通知機４の設置位置の自由度が高められるばかりでなく、施工コストを低く抑えることができる。
【００１５】
なお、子機１及び親機２の間の接続の態様と、親機２及び呼出通知機３の間の接続の態様とはそれぞれ、図１に示す子機ラインＬ1、通知機ラインＬ2を経由した有線による接続に限定されるものではなく、無線による接続で構成することもできる。
【００１６】
図１に示す子機１には、子機操作部１００、カメラ１０１、子機マイク１０２及び子機スピーカ１０３が備えられている。ここで、子機操作部１００は、住戸外に居る人物、例えば、来訪者が住戸内に在室中の居住者を呼び出すために操作するものであり、例えば、呼出ボタンにて構成されている。また、カメラ１０１は、来訪者の映像や住戸外の映像（監視映像を含む。）を撮像して映像信号を生成するためのものであり、例えば、ＣＣＤ、ＣＭＯＳ等の各種の映像撮像媒体にて構成されている。さらに、子機マイク１０２及び子機スピーカ１０３は、来訪者が居住者との間で通話を成立させるための音声信号（送話音声信号、受話音声信号）を入出力するものである。
【００１７】
図１に示す親機２には、親機操作部２００、モニタ２０１、親機マイク２０２、親機スピーカ２０３及び親機通知音生成部２０４が備えられている。ここで、親機操作部２００は、居住者が来訪者からの呼び出しに応答して通話を成立させるための応答操作、成立中の通話を終了させるための終話操作、モニタ２０１及び子機１のカメラ１０１をそれぞれ駆動させるためのモニタ操作等が行われるものであり、例えば、各種の操作に対応させた押圧ボタンやモニタ２０１の前面に配置されるタッチパネルにて構成されている。また、親機マイク２０２及び親機スピーカ２０３は、居住者が来訪者との間で通話を成立させるための音声信号（送話音声信号、受話音声信号）を入出力するものであり、この親機スピーカ２０３は、来訪者による子機１からの呼び出しがある旨の通知音や音声メッセージ等の通知音信号を音響出力することができる。さらに、親機通知音生成部２０４は、親機スピーカ２０３から出力させる通知音信号を生成し、この通知音信号を、通知機ラインＬ2を経由して呼出通知機３に送出することができる。
【００１８】
図１に示す呼出通知機３には、通知機スピーカ３００、信号検出部３０１、発光部（通知機発光部）３０２、発光駆動部（通知機発光駆動部）３０３、無線送信部３０４及び電源部（通知機電源部）３０５が備えられている。
【００１９】
この呼出通知機３において、通知機スピーカ３００は、親機２の親機通知音生成部２０４にて生成され通知機ラインＬ2を経由して伝送されてくる通知音信号を検出して呼出音や音声メッセージ等を音響出力させ、来訪者による子機１からの呼び出しがあることを通知するためのものである。
【００２０】
信号検出部３０１は、親機２の親機通知音生成部２０４にて生成され通知機ラインＬ2を経由して伝送されてくる通知音信号を検出し、発光駆動部３０３を制御するためのものである。
【００２１】
発光部３０２は、来訪者による子機１からの呼び出しがあることを通知するために発光表示されるものであり、例えば、キセノンランプ等のフラッシュライトにて構成されている。また、発光駆動部３０３は、駆動回路３０３ａ及びタイミング発生回路３０３ｂにて構成され、この駆動回路３０３ａは、通知音信号を検出した信号検出部３０１により生成される呼出通知信号によって制御され、発光部３０２を発光表示させ、所定のパターンで点滅又は点灯を行うためのものである。一方、タイミング発生回路３０３ｂは、通知音信号を検出した信号検出部３０１により生成される呼出通知信号によって制御され、発光部３０２を点滅又は点灯させる駆動回路３０３ａの制御による所定のパターンを決定するためのものである。
【００２２】
無線送信部３０４は、信号検出部３０１にて生成される呼出通知信号を無線信号に変換し、増設呼出通知機４に無線送信するためのものであり、通常、アンテナが備えられている。
【００２３】
電源部３０５は、例えば、ＡＣ１００Ｖの商用電源を整流・平滑して直流電源を生成し、呼出通知機３の構成各部に電源供給するためのものである。なお、電源部３０５は、前述の仕様に限定されるものではなく、例えば、二次電池等の蓄電池を適用することもできるばかりでなく、充電作用を有しているならば、この蓄電池に直流電源を充電することもできる。
【００２４】
図１に示す増設呼出通知機４には、無線受信部４００、増設通知音生成部４０１、増設スピーカ４０２、増設発光部４０３、増設発光駆動部４０４及び増設電源部４０５が備えられている。
【００２５】
この増設呼出通知機４において、無線受信部４００は、呼出通知機３の無線送信部３０４からの無線信号を受信し、電気信号の呼出通知信号に変換した後、増設通知音生成部４０１及び増設発光駆動部４０４にそれぞれ送出するためのものである。
【００２６】
増設通知音生成部４０１は、無線受信部４００からの呼出通知信号を検出し、増設スピーカ４０２から出力させる通知音信号を生成するためのものである。また、増設スピーカ４０２は、増設呼出音生成部４０１からの通知音信号をもとに呼出音や音声メッセージ等を音響出力させ、来訪者による子機１からの呼び出しがあることを通知するためのものである。
【００２７】
増設発光部４０３は、来訪者による子機１からの呼び出しがあることを通知するために発光表示されるものであり、例えば、キセノンランプ等のフラッシュライトにて構成されている。また、増設発光駆動部４０４は、駆動回路４０４ａ及びタイミング発生回路４０４ｂにて構成され、この駆動回路４０４ａは、無線受信部４００からの呼出通知信号を検出し、増設発光部４０３を発光表示させ、所定のパターンで点滅又は点灯を行うためのものである。一方、タイミング発生回路４０４ｂは、無線受信部４００からの呼出通知信号を検出し、増設発光部４０３を点滅又は点灯させる駆動回路４０４ａの制御による所定のパターンを決定するためのものである。
【００２８】
増設電源部４０５は、例えば、ＡＣ１００Ｖの商用電源を整流・平滑して直流電源を生成し、増設呼出通知機４の構成各部に電源供給するためのものである。なお、増設電源部４０５は、前述の仕様に限定されるものではなく、例えば、二次電池等の蓄電池を適用することもできるばかりでなく、充電作用を有しているならば、この蓄電池に直流電源を充電することもできる。
【００２９】
このように構成された本発明の実施例によるインターホンシステムにおいて、以下、具体的な動作について説明する。
【００３０】
図１において、呼出通知機３及び増設呼出通知機４の構成各部は、電源部３０５及び増設電源部４０５にてそれぞれ生成される直流電源が待受電源又は動作電源となり、子機１及び親機２を構成各部は、図示しない当該親機の電源部にて生成される直流電源が待受電源又は動作電源となるものである。
【００３１】
最初に、住戸外に居る来訪者が住戸内に在室中の居住者を呼び出すにあたり、図１に示す子機１の子機操作部１００を使用して呼出操作を行うと、子機ラインＬ1を経由して親機２に呼出信号が送出される。
【００３２】
親機２は、呼出信号が受信されると、来訪者による子機１からの呼び出しがあることを検出し、その旨の通知音信号を親機通知音生成部２０４にて生成するとともに、モニタ２０１及び子機１のカメラ１０１がそれぞれ能動となるように制御する。この制御により、呼出音や音声メッセージ等が親機スピーカ２０３から音響出力され、来訪者による子機１からの呼び出しがあることの通知が行われるとともに、子機１のカメラ１０１にて撮像された映像信号が子機ラインＬ1を経由して当該親機に送出され、来訪者の映像や住戸外の映像がモニタ２０１に出画されることになる。なお、モニタ２０１には、映像の出画のみならず、来訪者による子機１からの呼び出しがあることを示す文字メッセージや絵データ等を表示させることもできる。
【００３３】
ここまでの動作により、親機２の周囲近傍に居る居住者は、親機スピーカ２０３からの音響出力とモニタ２０１による表示とをもとに、来訪者による子機１からの呼び出しがあることを容易かつ的確に確認し、併せて、モニタ２０１による映像の出画をもとに、来訪者の判別が可能となる。
【００３４】
また、親機２の親機通知音生成部２０４にて生成された通知音信号は、通知機ラインＬ2を経由して呼出通知機３の通知機スピーカ３００及び信号検出部３０１にそれぞれ送出される。
【００３５】
ここで、呼出通知機３において、通知機スピーカ３００は、親機２からの通知音信号が検出されると、通知音や音声メッセージ等を音響出力させ、来訪者による子機１からの呼び出しがあることを通知することができる。また、信号検出部３０１は、親機２からの通知音信号が検出されると、呼出通知信号を生成し、発光駆動部３０３のタイミング発生回路３０３ｂにて設定される所定のパターンで発光部３０２が点滅又は点灯されるように駆動回路３０３ａを制御することができる。
【００３６】
ここまでの動作により、呼出通知機３の周囲近傍に居る居住者は、通知機スピーカ３００からの音響出力と発光部３０２による発光表示とをもとに、来訪者による子機１からの呼び出しがあることを容易かつ的確に確認することができ、特に、通知機スピーカ３００からの音響出力の確認が困難とされる難聴、中途失聴等のような聴覚障害者であって、この聴覚障害者が余所見をしている場合に、その確認な容易で利便性が高められるばかりでなく、当該呼出通知機の設置場所の周囲近傍が明るい場合であっても、的確に確認させることができる。
【００３７】
また、呼出通知機３の無線送信部３０４は、信号検出部３０１にて生成された呼出通知信号を無線信号に変換した後、増設呼出通知機４（の無線受信部４００）に無線送信する。
【００３８】
増設呼出通知機４の無線受信部４００は、呼出通知機３の無線送信部３０４からの無線信号を電気信号の呼出通知信号に変換した後、増設通知音生成部４０１及び増設発光駆動部４０４にそれぞれ送出する。
【００３９】
ここで、増設呼出通知機４において、増設通知音生成部４０１は、無線受信部４００からの呼出通知信号が検出されると、来訪者による子機１からの呼び出しがある旨の通知音信号を生成し、通知音や音声メッセージ等を増設スピーカ４０２から音響出力させることができる。また、増設発光駆動部４０４は、無線受信部４００からの呼出通知信号が検出されると、タイミング発生回路４０４ｂにて設定される所定のパターンで増設発光部４０３が点滅又は点灯されるように駆動回路４０４ａを制御することができる。
【００４０】
ここまでの動作により、増設呼出通知機４の周囲近傍に居る居住者は、増設スピーカ４０２からの音響出力と増設発光部４０３による発光表示とをもとに、来訪者による子機１からの呼び出しがあることを容易かつ的確に確認することができ、特に、通知機スピーカ３００からの音響出力の確認が困難とされる難聴、中途失聴等のような聴覚障害者であって、この聴覚障害者が余所見をしている場合に、その確認な容易で利便性が高められるばかりでなく、当該呼出通知機の設置場所の周囲近傍が明るい場合であっても、的確に確認させることができる。
【００４１】
なお、親機２、呼出通知機３及び増設呼出通知機４のうち、少なくとも何れか１の機器の通知手段をもとに、来訪者による子機１からの呼び出しがあることを容易かつ的確に確認した居住者は、親機２の親機操作部２００を使用して応答操作を行うと、居住者が使用する親機マイク２０２及び親機スピーカ２０３と、子機ラインＬ1を経由して来訪者が使用する子機１の子機マイク１０２及び子機スピーカ１０３との間の信号伝送路、所謂、通話路が形成され、音声信号（送話音声信号、受話音声信号）を送受信させることで通話が成立する。
【００４２】
本発明のインターホンシステムによれば、特定の実施の形態をもって説明してきたが、この形態に限定されるものでなく、本発明の効果を奏する限り、これまで知られた如何なる構成の当該システムであっても採用できるということはいうまでもないことである。
【００４３】
例えば、本発明のインターホンシステムによれば、呼出通知機３との間で無線通信を行うことができる増設呼出通知機４の台数として、１台に限定したが、この態様に限定されるものではなく、複数台で設けることもできる。
【００４４】
また、呼出通知機３が有する無線通信機能として、増設呼出通知機４へ無線送信を行う無線送信部３０４を適用し、増設呼出通知機４が有する無線通信機能として、呼出通知機３からの無線受信を行う無線受信部４００を適用したが、この態様に限定されるものではなく、呼出通知機３及び増設呼出通知機４が有する無線通信機能としてそれぞれ、無線送受信が可能な無線送受信部を備えることもできる。
【図面の簡単な説明】
【００４５】
【図１】本発明の実施例によるインターホンシステムのシステム構成及びブロック構成を示す説明図。
【符号の説明】
【００４６】
１……子機
２……親機
２０３……親機スピーカ
２０４……親機通知音生成部
３……呼出通知機
３００……通知機スピーカ
３０１……信号検出部
３０２……発光部
３０３……発光駆動部
３０４……無線送信部
４……増設呼出通知機
４００……無線受信部
４０１……増設通知音生成部
４０２……増設スピーカ
４０３……増設発光部
４０４……増設発光駆動部
【図１】
2010081137.tif 000003